(57)【要約】【課題】より低廉かつ効率的さらに安定した二酸化炭素の除去と水素の生成。【解決手段】ナトリウムイオンを透過する電解質膜１０と、電解質膜１０に設けられナトリウム化合物の水溶液が供されるアノード１１と、電解質膜１０に設けられ水若しくは水酸化ナトリウム水溶液と混合させた被処理ガスが供されるカソード１２とを備え、この両極間に直流電圧を印加してカソード１１側においてガス中の二酸化炭素を炭酸塩の形態で分離除去するすると共に水素ガスを生成するガス処理装置１と、アノード１１に供する被処理ガスに水を注入する手段１４とを備えた。尚、被処理ガスをガス処理装置１に供するにあたり、水の他に水酸化ナトリウム水溶液を注入してもよい。【選択図】  図１
2004307876.tif 000002
【特許請求の範囲】
【請求項１】
ナトリウムイオンを透過する電解質膜にアノードとカソードとを設け、アノードにはナトリウム化合物の水溶液を接触すると共に、カソードには水若しくは水酸化ナトリウム水溶液と混合させた被処理ガスを供し、この両極間に直流電圧を印加することにより、カソード側において前記ガス中の二酸化炭素を炭酸塩の形態で分離除去すると共に水素ガスを生成すること
を特徴とするガス処理方法。
【請求項２】
被処理ガスは汚泥消化ガスまたはバイオガスであること
を特徴とする請求項１または２記載のガス処理方法。
【請求項３】
ナトリウムイオンを透過する電解質膜と、前記電解質膜に設けられナトリウム化合物の水溶液が供されるアノードと、前記電解質膜に設けられ水若しくは水酸化ナトリウム水溶液と混合させた被処理ガスが供されるカソードとを備え、この両極間に直流電圧を印加してカソード側においてガス中の二酸化炭素を炭酸塩の形態で分離除去するすると共に水素ガスを生成するガス処理装置と、
前記アノードに供する被処理ガスに水若しくは水酸化ナトリウム水溶液を注入する手段とを備えたこと
を特徴とするガス処理システム。
【請求項４】
前記水酸化ナトリウム水溶液を注入する手段を備えた場合、被処理ガスをガス処理装置に供給する経路には、被処理ガスと水酸化ナトリウムを混合する混合配管を設けたこと
を特徴とする請求項３記載のガス処理システム。
【発明の詳細な説明】
【０００１】
【発明の属する技術分野】
本発明は、ガス処理方法とそのシステム、特に、ガス中の二酸化炭素の除去すると共に水素ガスを生成するものに関する。
【０００２】
【従来の技術】
１９９７年１２月、京都市で、２０００年以降における地球温暖化防止のための新たな国際的枠組みを決定する気候変動枠条約第３回締約国会議（地球温暖化防止会議、ＣＯＰ３）が開催された。京都会議では、先進国全体の温室効果ガスを２００８〜２０１２年において１９９０年比５％強削減する数値目標などを含む「京都議定書」が採択され、この中で我が国についての数値目標は１９９０年比６％削減とされている。
【０００３】
温室効果ガスの人為的排出の多くを占めるのが、エネルギーの燃焼に伴って発生する二酸化炭素（ＣＯ２）である。我が国は、石油危機以降積極的な省エネルギー努力を行った結果、産業部門のエネルギー利用効率は世界最高水準にあり、ＧＤＰ当りの一次エネルギー消費も米国の約３分の１、ドイツの約２分の１と他の先進国と比較して低い水準にある。
【０００４】
しかし、近年の運輸、民生部門を中心としたエネルギー消費の著しい伸びに伴い、エネルギー起因の二酸化炭素排出量は１９９５年度には１９９０年比８％強の大幅な増加となっている。このことから、京都議定書の目標の達成に向けては、直ちに最大限の対策に着手していく必要がある。
【０００５】
京都議定書において、温室効果ガスは二酸化炭素（ＣＯ２）、メタンガス（ＣＨ４）、亜酸化窒素（Ｎ２Ｏ）、ハイドロフルオロカーボン（ＨＦＣ）、パーフルオロカーボン（ＰＦＣ）、六フッ化硫黄（ＳＦ６）の６種類とされているが、我が国における温室効果ガスの排出量は１９９５年度において１９９０年度比８．６％増加している。このうち、全体の９割近くを占めるとともに、経済社会活動全体と密接な関わりを持つのがエネルギーの燃焼に伴って発生する二酸化炭素である。
【０００６】
我が国におけるこれらのエネルギー起因の二酸化炭素排出量は１９８０年代後半から急激な増加傾向にあり、特に近年は運輸、民生部門の伸びが著しく、１９９５年度には１９９０年度比８．１％の大幅な増加となっている。したがって、我が国で今後国内の温室効果ガス対策を考える際の中心的課題となるのが、運輸、民生部門での対策強化をはじめとしたエネルギー起因の二酸化炭素削減対策である。
【０００７】
尚、二酸化炭素については、正確な量の把握は難しいものの森林等の働きによって吸収されるといわれており、また二酸化炭素固定技術に関する研究開発も進められている。さらに、代替フロン類（ＨＦＣ，ＰＦＣ及びＳＦ６）については半導体洗浄や製品の中の冷媒として使われ、市中に残存しているものを回収し、分解するための技術開発等が進められている。
【０００８】
このように、温室効果ガス対策の全体において、ガスの排出削減対策を進める一方で、森林・農地の保全・整備や代替フロン類の回収に係るシステム創りなど、ガスの吸収・固定や回収・分離等に係る各種の対策を進めることも極めて重要である。
【０００９】
排ガスのＣＯ２排出濃度としては、排ガス中でディーゼルエンジンが約１０％、ボイラーで約１３％、下水処理場、食品工場の消化ガスで約４０％である。
【００１０】
現在、多くの分野で二酸化炭素を分解・回収するための方法及び装置等の開発が進められている。特に、室温付近においてはゼオライト触媒などを用いて吸着・脱着する圧力スイング法（非特許文献１）、高分子膜を用いた膜分離法（特許文献１）、水及びアルカリ水溶液などへ溶解する方法（非特許文献２）などが開発され、これらが主流となっている。
【００１１】
前記圧力スイング法は、ゼオライトなどの二酸化炭素吸着性物質を充填し、二酸化炭素を吸着させている。そして、吸着が飽和した後は、低圧若しくは高温状態に保持し、吸着した二酸化炭素を放出している。
【００１２】
前記膜分離法は、二酸化炭素選択透過性の膜（ポリ（［１−トリメチルシリル］）プロピレン、ポリジメチルシロキサン等）の一方に加圧ガスを導入し、二酸化炭素を選択的に透過させ、二酸化炭素濃度を高める方法である。
【００１３】
前記溶解方法は、大きく二つの方法がある。第一の方法は、水酸化ナトリウム水溶液に二酸化炭素を吸収させて炭酸塩（Ｎａ２ＣＯ３）となる現象を用いたものである。
【００１４】
２ＮａＯＨ  ＋  ＣＯ２  →  Ｎａ２ＣＯ３  ＋  Ｈ２Ｏ
また、第二の方法は、炭酸水素ナトリウム（ＮａＨＣＯ３）の熱分解・吸収法を利用している。
【００１５】
２ＮａＨＣＯ３  →  Ｎａ２ＣＯ３  ＋  ＣＯ２  ＋  Ｈ２Ｏ  （６５℃以上）
Ｎａ２ＣＯ３  ＋  ＣＯ２  ＋  Ｈ２Ｏ  →  ２ＮａＨＣＯ３  （室温〜５０℃）
また、水素ガスの工業的な製造方法として、主に以下の方法が知られている（非特許文献２）。
【００１６】
１）水電解法  １５〜２０％苛性ソーダ溶液を、ニッケルメッキ電極を用いて、電解し、純水素とともに副生酸素をも得る方法である。
【００１７】
２）コークスのガス化  コークスを原料として水性ガスを製造する方法である。通常、赤熱コークスに空気を送入して燃焼させ、炉温を上げるブローと水蒸気を送入してガスを発生させるランを短い周期で間欠式水素発生炉が古くから知られているが、その後に、酸素と水蒸気の混合気を送入する連続式水性ガス発生炉が登場した。ここで、水性ガスは除塵、水洗浄、脱硫などの、精製工程を経て、ガス中の一酸化炭素を、水性ガス転化反応を利用して、水素に転化させ、同時に生成する二酸化炭素を吸着除去し微量の一酸化炭素を除いて、不純物のない水素としている。
【００１８】
３）石炭の完全ガス化  微細炭または微粉炭に酸素と水蒸気を送入してガス化する方法で、その主反応は炭化水素と酸素及び水蒸気の反応で、これにより水素、一酸化炭素、あるいはメタンを主成分とするガスを製造させている。ウインクラーガス発生炉、コッパース−トチェックガス発生炉、オットー−ルンメルガス発生炉など最近発展した方法はほとんどが、これに属する。生成ガスの性状や精製方法、変成方法は、ほとんど２）の方法と同じである。
【００１９】
４）石油類のガス化、天然ガス、コークス炉ガス、石油精製廃ガスなどの変成原料が液体燃料のときはガス化といい、ガス体燃料のときは変成というが、これらは、反応の本質が炭化水素と酸素または水蒸気の反応により同一性状のガスを得る点で、同一である。また、前述の石炭の完全ガス化は固体炭化水素である石炭を原料とし、同一反応といえる。コッパース−トチェックガス発生炉、ファウザー−モンテカチニガス発生炉など、常圧のガス発生炉に対し、最近はテキサコガス発生炉、シェルガス発生炉など加圧ガス発生炉の進展が著しい。ガス体炭化水素の変成には触媒使用の接触分解法も広く行われている。
【００２０】
５）コークスガスよりの分離  コークスガス発生炉からのガスを圧縮冷却して、水素以外のガスの全て液化除去し、水素を分離する方法である。炉ガスから常法によりイオウ化合物を除去し、約１２気圧に圧縮して水及び苛性ソーダ溶液で洗浄し、二酸化炭素を除去、−４０℃で水、−６０℃でメタンその他の炭化水素、一酸化炭素を凝縮除去し、水素を分離している。
【００２１】
６）鉄と水蒸気との反応  この手段はメーサシュミット法と呼ばれる。すなわち、リョウテツ鉱（ＦｅＣＯ３）を焼いてＦｅ３Ｏ４とし、さらにこれを水性ガス（ＣＯ＋Ｈ２）などで還元してＦｅＯとし、これにＨ２Ｏを反応させることで、ＦｅＯが酸化され、これに伴い、純水素が得られる。
【００２２】
【非特許文献１】
長倉三郎他編「理化学辞典」、岩波書店
【００２３】
【特許文献１】
特許第２５２１８８４号公報（第２〜４頁）
【００２４】
【非特許文献２】
化学大辞典編集委員会編「化学大辞典」、共立出版
【００２５】
【発明が解決しようとする課題】
圧力スイング法は、二酸化炭素以外に水成分も吸着されるため、前段に脱水装置を設ける必要がある。また、連続処理が不可能であり、処理塔を最低２つ必要、加温設備、真空装置設備などの付加設備が必要で大規模な設備となる。
【００２６】
高分子膜を用いた膜分離法は、膜自身に受けるガス圧力・二酸化炭素透過性を最適化するのが難しく高価となる。さらに、一般に、二酸化炭素の他に窒素、酸素などの気体も透過するため、完全な分離は困難となる。さらに、ガス加圧装置などの付加設備も大型となる。
【００２７】
第一の溶解方法は、非常に簡単な方法であるが、生成した炭酸塩（Ｎａ２ＣＯ３）の後処理が困難であり（塩酸による中和）、これまでは加熱・乾燥後廃棄処分されているのが現状である。また、第二の溶解方法では、炭酸水素ナトリウムの二酸化炭素に対する吸収量及び吸収速度が水酸化ナトリウム水溶液に対して非常に遅いため非効率となる。
【００２８】
一方、水素ガス製造方法においては、１）の方法は水を原料とするところに長所があるが、以下の短所がある。すなわち、純水を必要とする、多数の電解槽を必要とする、電流の過不足に対する適応性が十分でない、電解液の炭酸化による老化、床面積、イニシャルコストなどに多くの問題があり、経済的に不利となる。そこで、近年においては、重油や天然ガスなどの廃ガスを水素源として利用するようになったので、２〜５）の方法が主流となっているのが現状である。
【００２９】
しかしながら、２〜６）の方法においては、設備が大掛かりとなり、イニシャルコスト及びランニングコストが増大する原因となる。さらに、水素ガス製造過程においては、一酸化炭素や二酸化炭素等の炭酸ガスを副生成させてしまい、これを除去する工程を具備せざるを得なく、水素ガスの生成効率が上がらない。
【００３０】
このように、従来の二酸化炭素除去技術及び水素製造技術は、大掛かりな装置が必要であること、またイニシャルコスト及びランニングコストが高く、さらに二酸化炭素除去率及び水素生成効率が低いという問題がある。特に、温室効果ガスの大部分を占める二酸化炭素の排出源のほとんどは、下水処理場や工場であることからも、これら施設のランニングコストも考慮した二酸化炭素の除去と水素生成の方法の構築が必要となる。さらには、二酸化炭素の除去に伴い、吸蔵した炭酸成分は増えていくが、この炭酸成分をどのように取り扱うかが問題となる。
【００３１】
本発明は、かかる事情に鑑みなされたもので、その目的は、より低廉かつ効率的さらに安定した二酸化炭素の除去と水素の生成を行なうガス処理方法とそのシステムの提供にある。
【００３２】
【課題を解決するための手段】
本発明のガス処理方法は、ナトリウムイオンを透過する電解質膜にアノードとカソードとを設け、アノードにはナトリウム化合物の水溶液を接触すると共に、カソードには水若しくは水酸化ナトリウム水溶液と混合させた被処理ガスを供し、この両極間に直流電圧を印加することにより、カソード側において前記ガス中の二酸化炭素を炭酸塩の形態で分離除去すると共に水素ガスを生成することを特徴とする。
【００３３】
本発明のガス処理システムは、ナトリウムイオンを透過する電解質膜と、前記電解質膜に設けられナトリウム化合物の水溶液が供されるアノードと、前記電解質膜に設けられ水若しくは水酸化ナトリウム水溶液と混合させた被処理ガスが供されるカソードとを備え、この両極間に直流電圧を印加してカソード側においてガス中の二酸化炭素を炭酸塩の形態で分離除去するすると共に水素ガスを生成するガス処理装置と、前記アノードに供する被処理ガスに水若しくは水酸化ナトリウム水溶液を注入する手段とを備えたことを特徴とする。
【００３４】
本発明のガス処理方法及びガス処理システムによれば、アソードに供する被処理ガスに水を注入することで、カソードで吸蔵させた炭酸塩を容易に水溶液化させることができる。これにより、炭酸塩が系外除去しやすくなり、効率的且つ連続的な二酸化炭素の除去と水素の生成が可能となる。そして、汚泥消化ガスやバイオガスを被処理ガスとすれば、これらのガスをメタンや水素に富んだ高エネルギーガスに変換できる。また、被処理ガスに水を注入することで、常温のもとで二酸化炭素の除去と水素の生成を行なえるので、エネルギーコストを抑えることができると共に、耐熱温度が低い電解質膜を用いることができる。したがって、本発明で用いる電解質膜は、耐熱温度を考慮する必要がなく、ナトリウムイオンを泳動させるものであればよい。
【００３５】
さらに、被処理ガスをガス処理装置に供するにあたり、水の他に水酸化ナトリウム水溶液を注入してもよい。被処理ガスに水酸化ナトリウム水溶液を注入することで、被処理ガス中の二酸化炭素がある程度吸収されるので、ガス処理装置のカソードで反応させる二酸化炭素の反応量を低減させることができ、消費電力をより一層抑えることができる。また、水酸化ナトリウム水溶液または二酸化炭素を吸収して得た炭酸塩水溶液がガス処理装置内に導入されることで、ガス処理装置内の電解質膜とカソードとの界面の導電性を保つことができると共にカソード上のナトリウムイオンの濃度が高まり、ガス処理装置の動作特性（二酸化炭素除去能力及び水素生成能力）が安定さらには向上する。尚、被処理ガスをガス処理装置に供給する経路に被処理ガスと水酸化ナトリウムとを混合する混合配管を設けると、被処理ガスと水酸化ナトリウムとの接触時間が確保され、前記作用効果はより一層高まる。
【００３６】
【発明の実施の形態】
以下、本発明の実施の形態を図面に基づいて説明する。
【００３７】
（実施形態１）
図１は、本実施形態のガス処理システムの概略図である。当該ガス処理システムは、ガス処理装置１における被処理ガス供給系に水供給手段１４を備えている。
【００３８】
図示されたガス処理装置１は、ナトリウム化合物水溶液（図１おいてはＮａ＋源と呼称）が供給されるアノード１１と被処理ガスが供給されるカソード１２とを設けた電解質膜１０と、この両極間に直流電圧を印加する電源１３とを備えている。
【００３９】
電解質膜１０は、ナトリウムイオン交換機能を有するポリマー製電解質膜である。例えばフッ素樹脂または塩化ビニル樹脂を基材とするものが挙げられる。さらには、スチレンとジビニルベンゼンの共重合物を母体とするスルホン酸樹脂、パーフルオロカーボンスルホン酸樹脂、ポリトリフルオロスチレンスルホン酸樹脂、ポリスチレンスルホン酸樹脂、またはフェノールスルホン酸樹脂等を含ませて形成したものが例示される。
【００４０】
ナトリウム化合物水溶液には、水酸化ナトリウム（ＮａＯＨ）水溶液、炭酸ナトリウム（Ｎａ２ＣＯ３）水溶液または炭酸水素ナトリウム（ＮａＨＣＯ３）水溶液等が採用される。
【００４１】
アノード１１とカソード１２としては、Ｐｔ、Ａｕ、Ｃｒ、Ｃｕ及びＮｉ、若しくはこれらの酸化物等が例示され、多孔質性の電極が用いられる。当該電極は、電解質膜１０において、スクリーン印刷、はけ塗り、蒸着、溶射、ディップコーティング等によって形成される他、金属繊維（多孔体）を圧接することによって形成することもできる。
【００４２】
電源１３は、直流電圧を印加する機能を有するものが採用され、既知のものでよい。電圧を印加するための電源は、一般の定電位電源（ポテンションスタット等）を用いることができるが、電流密度が可変であるものを用いるとよい。尚、電流密度を調節する一つの手段として、印加電圧の調整がある。
【００４３】
ここで、図３及び図４にガス処理装置１の実施形態例を示した。
【００４４】
図３（ａ）に示したガス処理装置は、アノード１１とカソード１２を備えた電解質膜５０を、アノード側枠体５１とカソード側枠体５２とで挟み込んで構成されるセル５０となっている。このとき、アノード側枠体５１には、ナトリウム化合物水溶液（図においてはＮａ＋源と呼称）を一時的に滞留させる流路が設けられ、この水溶液を供給するための供給管５１１と、この水溶液を排出するための排出管５１２と、が接続される。同様に、カソード側枠体５２には、被処理ガスを一時的に滞留させる流路が設けられ、被処理ガスを供給するための供給管５２１と、処理ガスを排出するための排出管５２２とが接続される。また、アノード側枠体５１及びカソード側枠体５２の流路において、迂流板５２３が設けられている。図３（ａ）に開示されたカソード側枠体においては、迂流板５２３は一枚設置されているが、これに限定されず、図３（ｂ）に示した枠体５１，５２のように、複数備えてもよい。このような構成とすれば、導入被処理ガス及びこれに含まれる水またはナトリウム化合物水溶液を電解質膜１０のアノード面及びカソード面に対し均一に供給することができるので、二酸化炭素の除去効率及び水素の生成効率が高まる。
【００４５】
また、セル構造を成したガス処理装置は、図３（ｃ）に示したように、被処理ガスの負荷量等に応じて複数設置される。当該形態に係るガス処理装置は、セル５０が３枚設置された構成となっている。このとき、装置の側面には、マニホールド５３，５４，５５，５６が設置される。マニホールド５３には、被処理ガスを供給するための供給管１２１が接続されている。マニホールド５４には、処理ガスを排出するための排出管１２２が接続されている。マニホールド５５には、ナトリウム化合物水溶液を供給するための供給管１１１が接続されている。マニホールド５６には、ナトリウム化合物水溶液を排出するための排出管１２１が接続されている。
【００４６】
図４（ａ）は、二枚の電解質膜１０を積層した場合の構成例である。積層枚数は被処理ガスの負荷量等によって定まる。図示されたように、２枚の電解質膜１０が、セパレータ６２を介して、積層され、上下からそれぞれプレート６１，６３が設けられている。このとき、プレート６１には、ナトリウム化合物水溶液（図においてはＮａ＋源）の流路が設けられている。セパレータ６２の上面には、被処理ガスの流路が設けられ、また下面には、ナトリウム化合物水溶液の流路が設けられている。セパレータ５３には、被処理ガスの流路が設けられている。そして、図４（ｃ）に示されたように、被処理ガスの流入側には供給管１２１を設けたマニホールド６４が、処理ガスの排出側には排出管１２２を設けたマニホールド６５が設置される。また、ナトリウム化合物水溶液の流入側には、流入管１１１を設けたマニホールド６６が、さらに排出側には、排出管１１２を設けたマニホールド６７が設置される。尚、図４（ｂ）に例示したセパレータ６２における仕切板６２１のように、プレート６１，６３及びセパレータ６２に設けられた流路には複数の仕切板を設けるとよい。このような構成とすることで、導入した被処理ガス及びこれに含まれる水または後述（実施形態２）のナトリウム化合物水溶液を電解質膜１０のアノード面及びカソード面に対し均一に供給することができるので、二酸化炭素の除去効率及び水素の生成効率が高まる。
【００４７】
本実施形態では、ナトリウム化合物水溶液（Ｎａ＋源）は、調整槽３からポンプＰ１によって導入している。余剰のナトリウム化合物水溶液は、排出管１１２を介して調整槽３に返送される。調整槽３は、アノード１１に供給するためのナトリウム化合物水溶液を一時的に貯留するためのタンク３０を備える。このとき、タンク３０内液相のナトリウムイオン濃度は一定に調整される。そのために、タンク３０は、ナトリウムイオン濃度を測定するためのイオン濃度測定手段３１と、高濃度ナトリウムイオン源や水を供給するための経路３２とを備え、さらに、経路３２には、タンク３０内液相のイオン濃度に基づき開閉動作するバルブ手段を設けている。イオン濃度測定手段としては、例えば、ｐＨ測定機能を備え、ｐＨ値に基づきナトリウムイオンの濃度を算出している。
【００４８】
また、被処理ガスは経路１００を介してガス処理装置１内に導入している。経路１００には経路１０１を介して水供給手段１５が具備されている。水処理手段１５は、被処理ガスに水を供給する。水供給手段１５は、被処理ガスに直接水を供給できるものであれば既知のものよい。例えば、スプレーノズル式のもの等が採用される。このとき、水の流量は、少なくとも被処理ガスの供給の妨げにならない程度及びカソード１２において炭酸塩水溶液が生じる程度に設定するとよい。また、水の逆流を防ぐために、水供給用の配管（経路１０１）には逆止弁を設けたり、さらには経路１００と経路１０１の接続位置を供給管１２１の据付位置よりも高く設定するとよい。
【００４９】
一方、処理ガスはカソード１２で生成した炭酸塩水溶液と共に気液分離槽２に供され気液分離処理される。気液分離槽２は、炭酸塩の水溶液を滞留させている。
【００５０】
次に、図１を参照しながら、本実施形態のガス処理システムの動作例について説明する。ここでは、ナトリウムイオン源が水酸化ナトリウム水溶液（以下、ＮａＯＨ水溶液）で、被処理ガスがＣＨ４とＣＯ２とを含んだガスである場合について述べる。
【００５１】
当該ガス処理システムにおける二酸化炭素ガス除去は、アノード１１とカソード１２のと間に直流電圧を印加することによって行われる。
【００５２】
すなわち、図１において、アノード１１側には供給管１１１からＮａＯＨ水溶液が供給され、アノード１１はこのナトリウムイオン源によって浸漬された状態となる。また、カソード１２側には、供給管１２１から被処理ガスが供給される。被処理ガスは水供給手段２によって水分（Ｈ２Ｏ）を含んでいる。ここで、アノード１１とカソード１２の両極間に電源１３から直流電圧を印加すると、先ずＮａＯＨが接触したアノード１１表面においては、以下の反応が起こる。
【００５３】
ＮａＯＨ  →  Ｎａ＋＋ＯＨ−  …（１）
２ＯＨ−  →  １／２Ｏ２  ＋  Ｈ２Ｏ  ＋  ２ｅ−  …（２）
このとき、ナトリウムイオン（Ｎａ＋）は、アノード１１を通過し、電解質膜１０を泳動し、カソード１２に達する。一方、アノード１１側で遊離した電子（ｅ−）は、電源１３を経由して、カソード１２に達する。
【００５４】
ここで、気相中の二酸化炭素（ＣＯ２）及び水分（Ｈ２Ｏ）がカソード１２表面に接触すると、以下の反応が起こる。
【００５５】
Ｎａ＋＋ｅ−＋ＣＯ２＋Ｈ２Ｏ  →  ＮａＨＣＯ３  ＋  １／２Ｈ２  …（３）
２Ｎａ＋＋  ＣＯ２  ＋  Ｈ２Ｏ  ＋２ｅ−  →  Ｎａ２ＣＯ３  ＋  Ｈ２  …（４）
このようにして、被処理ガス中に含まれる二酸化炭素は炭酸塩の形態でカソード１２表面に固定されることで分離除去されると共に水素ガスが生成される。特に、カソード１２で生成した炭酸塩は水供給手段１５から供給された水によって容易に水溶液化されているので、炭酸塩が系外除去しやすくなり、連続的な二酸化炭素の除去と水素の生成が可能となる。また、水を混合させた被処理ガスをガス処理装置１に供給したことで、常温での二酸化炭素の除去と水素の生成が可能となる。生成した炭酸塩水溶液は処理ガスと共に気液分離槽２に供されて気液分離処理される。この際、ガス中に残留する二酸化炭素成分が炭酸塩水溶液によって吸収除去される。気液分離槽２で捕集された炭酸塩水溶液は、再生槽４にて水酸化ナトリウム水溶液に変換されてナトリウムイオン源として再利用される。再生槽４としては例えば特願２００２−３４３５０８（段落番号（００６０）〜（００７７）及び図５）に開示したものがある。
【００５６】
以上のように、本実施形態に係るガス処理システムによれば、被処理ガスに水を注入することで、効率的な二酸化炭素の除去と水素の生成を行うことができる。また、常温のもとで二酸化炭素の除去と水素の生成を行うことができるので、塩化ビニル樹脂やフッ素樹脂さらには過フッ素化スルホン酸ポリマーを基材とする電解質膜のような動作温度の低い電解質を好適に用いることができる。したがって、エネルギーコストを抑えることができ低廉な二酸化炭素の除去と水素の生成が行なえる。
【００５７】
さらに、被処理ガスが汚泥消化ガスやバイオガスのようなメタンを含んだガスである場合、このガスを本実施形態のガス処理システムに供することで、高エネルギーガスを得ることできる。例えば、下水処理場で発生する汚泥消化ガスや家畜糞尿設備で発生するバイオガスは有用なエネルギー源として活用が可能であるが、従来の技術においては特に中小容量の処理場において熱源としての用途しか見出すことができなかった。その一つの理由としては、メタンガス濃度が低いことが挙げられる。そこで、汚泥消化ガスやバイオガスを前記ガス処理システムに供することで、これらのガスをメタンや水素に富んだ高エネルギーガスに変換させることができる。この高エネルギーガスは、燃料電池やガスタービン等の燃料またはその他の燃料として売却するなどの有効利用ができる。
【００５８】
（実施形態２）
図２は、本実施形態のガス処理システムの概略図を示す。尚、図１に開示された手段と同じ構成のものには同符号を付してその詳細の説明を適宜省略した。
【００５９】
本実施形態のガス処理システムは、被処理ガスをガス処理装置１に供するにあたり、被処理ガスに水酸化ナトリウム水溶液を注入して、ガス中のある程度の二酸化炭素を水酸化ナトリウム水溶液によって吸収除去している。このとき、ガス処理装置１内においては水酸化ナトリウム水溶液または生成した炭酸塩水溶液によって電解質膜１０とカソード１２との界面の導電性が維持され、ガス処理装置の動特性（二酸化炭素除去能及び水素生成能）が安定する。また、カソード１２の表面はナトリウムイオン濃度が高まっているので、被処理ガスがカソード１２に接触するとガス中の二酸化炭素成分が容易に吸収され、二酸化炭素除去効率及び水素生成効率が一層高まる。ガス処理装置１からは水酸化ナトリウム水溶液を導入した分だけの炭酸ナトリウムまたは炭酸水素ナトリウムの水溶液が排出されてくるが、これらの水溶液は再生槽４に供してやれば、アノード１１へのナトリウムイオン源として再利用できる。
【００６０】
水酸化ナトリウム供給手段１５は、一定濃度の水酸化ナトリウム水溶液を貯留したタンク（図示省略）を備える。そして、経路１００を流通する被処理ガスに経路１０２を介してスプレーノズル方式に水酸化ナトリウムを注入する。水酸化ナトリウム水溶液は、例えば０．１〜１０ｍｏｌ／ｌ程度に調整されたものが用いられる。
【００６１】
また、実施形態１と同様に水酸化ナトリウム水溶液の逆流を防ぐために、経路１０２には逆止弁を設けるとよい。このとき、経路１００と経路１０２の接続位置を供給管１２１の据付位置よりも高く設定するとなおよい。さらに、経路１００には、被処理ガスと水酸化ナトリウム水溶液とを混合させる混合配管１０３を設けるとよい。図２においては、螺旋状の配管が開示されているが、混合配管１０３は被処理ガスと水酸化ナトリウム水溶液とを混合できるものであれば図示された形態に限定されない。
【００６２】
【発明の効果】
本発明のガス処理方法とそのシステムによれば、アソードに供する被処理ガスに水を注入することで、カソードで吸蔵させた炭酸塩を容易に水溶液化させることができるので、炭酸塩が系外除去しやすくなり、効率的且つ連続的な二酸化炭素の除去と水素の生成が可能となる。また、被処理ガスに水を注入することで、常温のもとで二酸化炭素の除去と水素の生成を行なえるので、エネルギーコストを抑えることができると共に、本発明で用いる電解質膜の耐熱温度を考慮する必要がない。したがって、装置システムのイニシャルコストを抑えることができる。そして、汚泥消化ガスやバイオガスを被処理ガスとすれば、これらのガスを効率的にメタンや水素に富んだ高エネルギーガスに変換できる。
【００６３】
また、被処理ガスをガス処理装置に供するにあたり、水の他に水酸化ナトリウム水溶液を注入することで、被処理ガス中の二酸化炭素がある程度吸収されるので、ガス処理装置のカソードで反応させる二酸化炭素の反応量を低減させることができ、消費電力をより一層抑えることができる。さらに、水酸化ナトリウム水溶液または二酸化炭素を吸収して得た炭酸塩水溶液がガス処理装置内に導入されることで、ガス処理装置内の電解質膜とカソードとの界面の導電性を保つことができると共にカソード上のナトリウムイオンの濃度が高まり、ガス処理装置の動作特性（二酸化炭素除去能力及び水素生成能力）が安定さらには向上する。
【００６４】
このように、本発明によれば、より低廉かつ効率的さらに安定した二酸化炭素の除去と水素の生成が行なえる。
【図面の簡単な説明】
【図１】本発明のガス処理システムの実施形態例を示す概略図。
【図２】本発明のガス処理システムの実施形態例を示す概略図。
【図３】ガス処理装置の実施形態例を示す概略図。
【図４】ガス処理装置の実施形態例を示す概略図。
【符号の説明】
１…ガス処理装置、１０…電解質膜、１１…アノード、１２…カソード、１００，１０２…経路、１０３…混合配管、１１１，１２１…供給管、１１２，１２２…排出管、１３…電源、１４…水供給手段、１５…水酸化ナトリウム水溶液供給手段
２…気液分離槽
３…調整槽、３０…タンク、３１…イオン濃度計、３２…経路
【図１】
2004307876.tif 000003
【図２】
2004307876.tif 000004
【図３】
2004307876.tif 000005
【図４】
2004307876.tif 000006